Podtech/llm-jp-corpus-v4-ja_patent huggingface dataset:
【手続補正書】
【提出日】平成24年9月27日(2012.9.27)
【手続補正１】
【補正対象書類名】特許請求の範囲
【補正対象項目名】全文
【補正方法】変更
【補正の内容】
【特許請求の範囲】
【請求項１】
ヘッドエンド装置、および診断用のソフトウェアを有する装置を備えるディジタル加入者線ネットワークにおける遠隔診断の方法であって、
ユーザからのリクエストに応答して前記ヘッドエンド装置から前記装置にデータ・リクエストを送信するステップと、
受信したデータ・リクエストが前記装置に診断用ソフトウェアを実行することを要求しているかどうかを判定するステップと、
前記データ・リクエストが前記装置に診断用ソフトウェアを実行することを要求していなければ、前記装置から前記ヘッドエンド装置に第１の応答を送信するステップと、
前記データ・リクエストが前記装置に内部診断用ソフトウェアを実行することを要求していれば、前記データ・リクエストの受信に応答して、前記内部診断用ソフトウェアを実行するステップと、
前記装置から前記ヘッドエンド装置に前記リクエストされたデータを含む第２の応答を送信するステップと、
から成る、前記遠隔診断の方法。
【請求項２】
前記装置をサービス・モードにするステップが更に、前記データ・リクエストの受信に応答して、前記装置の診断用ソフトウェアを実行するステップを含み、前記診断用ソフトウェアの実行の完了と同時に前記応答を送信するステップが起こる、請求項１記載の遠隔診断の方法。
【請求項３】
前記データ・リクエストを送信するステップが、前記装置から受信された警報に応答して、前記データ・リクエストを送信するステップを含む、請求項１記載の遠隔診断の方法。
【請求項４】
前記データ・リクエストが、装置識別のリクエスト、ソフトウェア・バージョンのリクエスト、前記テレビジョン受信機の接続をチェックするリクエスト、Ｉ／Ｏポートをチェックするリクエスト、ＨＰＮＡのネットワークをチェックするリクエスト、ＵＳＢをチェックするリクエスト、システムのＩＣをチェックするリクエスト、前記ディジタル加入者線の接続をチェックするリクエスト、エラー・コードをチェックするリクエスト、保証クロックを読み込むリクエスト、動作時間を読み込むリクエスト、およびデフォルト・テストを行うリクエスト、のうちの１つである、請求項１記載の遠隔診断の方法。
【請求項５】
ヘッドエンド装置および複数の装置を備えるディジタル加入者線用のシステムにおける装置であって、
前記ヘッドエンド装置と通信するための第１のインタフェースと、
診断用ソフトウェアを記憶する記憶媒体と、
前記ヘッドエンド装置から受信されるデータ・リクエストに応答して、記憶された前記診断用ソフトウェアを実行するプロセッサと、
から成り、
前記プロセッサは、前記診断用ソフトウェアを実行した後、前記リクエストされたデータに対する応答を送信し、前記応答は、エラー・コード、機器識別、ソフトウェア改訂、ビットレート、およびビット・エラーレートのうちの少なくとも１つを含み、
前記装置は、利用者宅内にあり、前記装置からのリクエストに応答して、前記データ・リクエストが前記ヘッドエンド装置から受信される、前記装置。
【請求項６】
前記プロセッサが前記装置をサービス・モードにして診断用ソフトウェアを実行し、前記診断用ソフトウェア実行の完了と同時に前記第１のインタフェースを介して前記ヘッドエンド装置に応答を送信する、請求項５記載の装置。
【請求項７】
前記記憶媒体が、前記記憶媒体内に、ＳＮＭＰトラップを記憶して、前記トラップが作動すると、前記第１のインタフェースを介して前記ヘッドエンド装置と通信を開始する、請求項５記載の装置。
【請求項８】
映像データと音声データをテレビジョン受信機に伝送する第２のインタフェースを更に含む、請求項５記載の装置。
【請求項９】
実行された前記診断用ソフトウェアが、音声データと映像データを前記第２のインタフェースを介して前記テレビジョン受信機に伝送するように前記プロセッサに指令する、請求項８記載の装置。
【請求項１０】
音声データが、前記テレビジョン受信機に可聴トーンを発生させ、映像データが、前記テレビジョン受信機に一組のカラーバーを表示させる、請求項９記載の装置。
【手続補正書】
【提出日】平成24年9月21日(2012.9.21)
【手続補正１】
【補正対象書類名】特許請求の範囲
【補正対象項目名】全文
【補正方法】変更
【補正の内容】
【特許請求の範囲】
【請求項１】
無線送／受信装置（ＷＴＲＵ）であって、
専用チャンネル（ＭＡＣ−ｄ）プロトコルデータユニット（ＰＤＵｓ）のための媒体アクセス制御（ＭＡＣ）を、複数の専用チャンネルの各々について生成するように構成されたプロセッサを備え、
前記プロセッサが、論理チャンネルについて、前記ＭＡＣ−ｄ  ＰＤＵｓの少なくとも一つのＭＡＣ−ｄ  ＰＤＵを、該少なくとも一つのＭＡＣ−ｄ  ＰＤＵが大きすぎてペイロードサイズに収まらない場合に、セグメントに分割するようにさらに構成され、
前記プロセッサが、前記少なくとも一つのＭＡＣ−ｄ  ＰＤＵのセグメントを別の少なくとも一つのＭＡＣ−ｄ  ＰＤＵまたは該別の少なくとも一つのＭＡＣ−ｄ  ＰＤＵのセグメントに連結することによって、第１のＭＡＣ  ＰＤＵを生成するようにさらに構成され、ここで、該第１のＭＡＣ  ＰＤＵが伝送シーケンス番号（ＴＳＮ）およびセグメンテーション記述フィールドを含んでおり、ここで、可能性のある該セグメンテーション記述フィールドの値が、該第１のＭＡＣ  ＰＤＵが前記少なくとも一つのＭＡＣ−ｄ  ＰＤＵのセグメントにおいて終了すること、および、前記少なくとも一つのＭＡＣ−ｄ  ＰＤＵの残りのセグメントが別の第１のＭＡＣ  ＰＤＵにおいて連結されることを指示し、並びに、
前記プロセッサが、複数の第１のＭＡＣ  ＰＤＵを送信のために第２のＭＡＣ  ＰＤＵに多重化するようにさらに構成される、
ＷＴＲＵ。
【請求項２】
前記少なくとも一つのＭＡＣ−ｄ  ＰＤＵが無線リンクコントロール（ＲＬＣ）ＰＤＵである、請求項１に記載のＷＴＲＵ。
【請求項３】
前記少なくとも一つのＭＡＣ−ｄ  ＰＤＵの前記残りのセグメントを格納するように構成された少なくとも一つのバッファをさらに備える、請求項１に記載のＷＴＲＵ。
【請求項４】
一つのバッファが複数のセグメンテーションエンティティと関連付けられる、請求項３に記載のＷＴＲＵ。
【請求項５】
前記ＭＡＣ−ｄ  ＰＤＵの前記残りのセグメントを、論理チャンネルから受信されるＭＡＣ−ｄ  ＰＤＵよりも高い優先度で処理する、請求項１に記載のＷＴＲＵ。
【請求項６】
結果として生じるセグメントが最小セグメントサイズよりも大きい場合に、前記少なくとも一つのＭＡＣ−ｄ  ＰＤＵをセグメントに分割する、請求項１に記載のＷＴＲＵ。
【請求項７】
可能性のある前記セグメンテーション記述フィールドの値が、前記第１のＭＡＣ  ＰＤＵが前記少なくとも一つのＭＡＣ−ｄ  ＰＤＵのセグメントにおいて始まること、および、前記ＭＡＣ−ｄ  ＰＤＵの前記残りのセグメントが以前に別の第１のＭＡＣ  ＰＤＵにおいて連結されたことを指示する、請求項１に記載のＷＴＲＵ。
【請求項８】
無線送／受信装置（ＷＴＲＵ）において実施される方法であって、
専用チャンネル（ＭＡＣ−ｄ）プロトコルデータユニット（ＰＤＵｓ）のための媒体アクセス制御（ＭＡＣ）を、複数の専用チャンネルの各々について生成すること、
論理チャンネルについて、前記ＭＡＣ−ｄ  ＰＤＵｓの少なくとも一つのＭＡＣ−ｄ  ＰＤＵを、該少なくとも一つのＭＡＣ−ｄ  ＰＤＵが大きすぎてペイロードサイズに収まらない場合に、セグメントに分割すること、
前記少なくとも一つのＭＡＣ−ｄ  ＰＤＵのセグメントを別の少なくとも一つのＭＡＣ−ｄ  ＰＤＵまたは該別の少なくとも一つのＭＡＣ−ｄ  ＰＤＵのセグメントに連結することによって、第１のＭＡＣ  ＰＤＵを生成すること、ここで、該第１のＭＡＣ  ＰＤＵが伝送シーケンス番号（ＴＳＮ）およびセグメンテーション記述フィールドを含んでおり、ここで、可能性のある該セグメンテーション記述フィールドの値が、該第１のＭＡＣ  ＰＤＵが前記少なくとも一つのＭＡＣ−ｄ  ＰＤＵのセグメントにおいて終了すること、および、前記少なくとも一つのＭＡＣ−ｄ  ＰＤＵの残りのセグメントが別の第１のＭＡＣ  ＰＤＵにおいて連結されることを指示し、並びに、
複数の第１のＭＡＣ  ＰＤＵを送信のために第２のＭＡＣ  ＰＤＵに多重化すること、
を含む方法。
【請求項９】
前記少なくとも一つのＭＡＣ−ｄ  ＰＤＵが無線リンクコントロール（ＲＬＣ）ＰＤＵである、請求項８に記載の方法。
【請求項１０】
前記少なくとも一つのＭＡＣ−ｄ  ＰＤＵの前記残りのセグメントを格納することさらに含む、請求項８に記載の方法。
【請求項１１】
前記少なくとも一つのＭＡＣ−ｄ  ＰＤＵの前記残りのセグメントをバッファに格納する、請求項１０に記載の方法。
【請求項１２】
前記ＭＡＣ−ｄ  ＰＤＵの前記残りのセグメントを、論理チャンネルから受信されるＭＡＣ−ｄ  ＰＤＵよりも高い優先度で処理する、請求項８に記載の方法。
【請求項１３】
結果として生じるセグメントが最小セグメントサイズよりも大きい場合に、前記少なくとも一つのＭＡＣ−ｄ  ＰＤＵをセグメントに分割する、請求項８に記載の方法。
【請求項１４】
可能性のある前記セグメンテーション記述フィールドの値が、前記第１のＭＡＣ  ＰＤＵが前記少なくとも一つのＭＡＣ−ｄ  ＰＤＵのセグメントにおいて始まること、および、前記ＭＡＣ−ｄ  ＰＤＵの前記残りのセグメントが以前に別の第１のＭＡＣ  ＰＤＵにおいて連結されたことを指示する、請求項８に記載の方法。
【手続補正書】
【提出日】平成24年8月7日(2012.8.7)
【手続補正１】
【補正対象書類名】特許請求の範囲
【補正対象項目名】全文
【補正方法】変更
【補正の内容】
【特許請求の範囲】
【請求項１】
ボーナスゲームが終了するとリプレイ役の当選確率が所定の一般遊技状態となり、該一般遊技状態で複数個の図柄が描かれた図柄列を複数列変動させる変動表示ゲームで役抽選を行うと共に、該変動表示ゲームの役抽選でボーナス役が内部当選し、複数の図柄列に対応して設けられた停止スイッチが個々に操作され、変動する複数の図柄列が全て停止した場合、該ボーナス役が入賞していればボーナスゲームを行う一方、該ボーナス役が入賞していなければ、ボーナス役が内部当選した状態を維持して以降の変動表示ゲームを行う遊技機において、
ボーナス役が内部当選中の変動表示ゲームの遊技状態を、リプレイ役の当選確率が前記一般遊技状態よりも高い高確率再遊技状態に移行させる遊技状態移行手段と、
前記一般遊技状態の変動表示ゲームでボーナス役、押し順小役、非押し順小役、リプレイ役及びハズレを含めて役抽選を行う一方、前記高確率再遊技状態の変動表示ゲームで押し順小役、非押し順小役及びリプレイ役の合成当選確率を１００％にして、又はハズレの置数が１〜１０の何れかでハズレ、押し順小役、非押し順小役及びリプレイ役の合成当選確率を１００％にして役抽選を行う役抽選手段と、
役抽選手段が行った役抽選結果に応じて、アシスト機能を発動させる為のＡＴ抽選を行うＡＴ抽選手段と、
停止スイッチの操作順序を報知する報知手段と、
変動表示ゲームにおける役抽選手段の役抽選結果及び停止スイッチの操作に応じて、複数の図柄列を所定位置に停止させる制御を行う停止制御手段とを具備し、
前記報知手段は、ＡＴ抽選手段が行ったＡＴ抽選で当選した場合、前記高確率再遊技状態の変動表示ゲームで役抽選手段が押し順小役を当選させたとき、該押し順小役に応じた停止スイッチの操作順序を報知すると共に、停止制御手段は、停止スイッチが該押し順小役に応じた操作順序で操作されると、複数の図柄列を所定位置に停止させて該押し順小役を入賞させること、
を特徴とする遊技機。
【手続補正２】
【補正対象書類名】明細書
【補正対象項目名】００２６
【補正方法】変更
【補正の内容】
【００２６】
請求項１に係る本発明の遊技機は、上記の目的を達成するために、ボーナスゲームが終了するとリプレイ役の当選確率が所定の一般遊技状態となり、該一般遊技状態で複数個の図柄が描かれた図柄列を複数列変動させる変動表示ゲームで役抽選を行うと共に、該変動表示ゲームの役抽選でボーナス役が内部当選し、複数の図柄列に対応して設けられた停止スイッチが個々に操作され、変動する複数の図柄列が全て停止した場合、該ボーナス役が入賞していればボーナスゲームを行う一方、該ボーナス役が入賞していなければ、ボーナス役が内部当選した状態を維持して以降の変動表示ゲームを行う遊技機において、ボーナス役が内部当選中の変動表示ゲームの遊技状態を、リプレイ役の当選確率が前記一般遊技状態よりも高い高確率再遊技状態に移行させる遊技状態移行手段と、前記一般遊技状態の変動表示ゲームでボーナス役、押し順小役、非押し順小役、リプレイ役及びハズレを含めて役抽選を行う一方、前記高確率再遊技状態の変動表示ゲームで押し順小役、非押し順小役及びリプレイ役の合成当選確率を１００％にして、又はハズレの置数が１〜１０の何れかでハズレ、押し順小役、非押し順小役及びリプレイ役の合成当選確率を１００％にして役抽選を行う役抽選手段と、役抽選手段が行った役抽選結果に応じて、アシスト機能を発動させる為のＡＴ抽選を行うＡＴ抽選手段と、停止スイッチの操作順序を報知する報知手段と、変動表示ゲームにおける役抽選手段の役抽選結果及び停止スイッチの操作に応じて、複数の図柄列を所定位置に停止させる制御を行う停止制御手段とを具備し、前記報知手段は、ＡＴ抽選手段が行ったＡＴ抽選で当選した場合、前記高確率再遊技状態の変動表示ゲームで役抽選手段が押し順小役を当選させたとき、該押し順小役に応じた停止スイッチの操作順序を報知すると共に、停止制御手段は、停止スイッチが該押し順小役に応じた操作順序で操作されると、複数の図柄列を所定位置に停止させて該押し順小役を入賞させることを特徴とする。
【手続補正書】
【提出日】平成24年9月19日(2012.9.19)
【手続補正１】
【補正対象書類名】明細書
【補正対象項目名】０００９
【補正方法】変更
【補正の内容】
【０００９】
本発明者らは、上記課題を解決すべく鋭意研究した結果、本発明に到達した。すなわち本発明は以下のとおりである。
（１）下記成分（Ａ）および（Ｂ）を配合してなるポリアミド樹脂組成物を製膜してなる、膜厚が５〜３００μｍのポリアミド樹脂膜状体。
（Ａ）硫酸相対粘度が３．０〜５．０であるポリアミド樹脂Ａ  １００重量部
（Ｂ）以下の（イ）および（ロ）を配合してなるマスターペレット  ０．３〜３重量部
（イ）硫酸相対粘度が２．０以上かつポリアミド樹脂Ａの硫酸相対粘度より小さい値であるポリアミド樹脂Ｂ  １００重量部
（ロ）下記一般式で表されるビスアミド化合物  ４〜１５重量部
Ｒ１−ＣＯＮＨ（ＣＨ２）２ＮＨＣＯ−Ｒ２
（ただし、Ｒ１、Ｒ２は炭素数１２〜３２の炭化水素基を表し、Ｒ１とＲ２は同一であっても異なっていても良い。）
（２）ポリアミド樹脂Ｂの硫酸相対粘度が２．０以上かつポリアミド樹脂Ａの硫酸相対粘度より０．５以上小さい値である（１）記載のポリアミド樹脂膜状体。
（３）下記成分（Ａ）および（Ｂ）をドライブレンドしたポリアミド樹脂組成物を、膜状体に製膜する（１）または（２）記載のポリアミド樹脂膜状体の製造方法。
（Ａ）硫酸相対粘度が３．０〜５．０であるポリアミド樹脂Ａ  １００重量部
（Ｂ）以下の（イ）（ロ）を配合してなるマスターペレット  ０．３〜３重量部
（イ）硫酸相対粘度が２．０以上かつポリアミド樹脂Ａの硫酸相対粘度より小さい値であるポリアミド樹脂Ｂ  １００重量部
（ロ）下記一般式で表されるビスアミド化合物  ４〜１５重量部
Ｒ１−ＣＯＮＨ（ＣＨ２）２ＮＨＣＯ−Ｒ２
（ただし、Ｒ１、Ｒ２は炭素数１２〜３２の炭化水素基を表し、Ｒ１とＲ２は同一であっても異なっていても良い。）
（４）製膜方法が、水冷インフレーション製膜法である（３）記載のポリアミド樹脂膜状体の製造方法。
【手続補正２】
【補正対象書類名】明細書
【補正対象項目名】００４２
【補正方法】変更
【補正の内容】
【００４２】
実施例２〜４、比較例８〜１２
マスターペレットの原料に用いるナイロン樹脂を種々変更して、実施例１と同様に評価した。結果を表１に示すが、得られた膜状体の巻き上がり曲率は大きく、巻き上がり性が抑制されることがわかった。また、膜状体の外観も良好であった。
【手続補正３】
【補正対象書類名】明細書
【補正対象項目名】００４３
【補正方法】変更
【補正の内容】
【００４３】
比較例１〜３
表２に示すとおりマスターペレットを用いず、ナイロン６樹脂ペレットに粉末のエチレンビスステアロアミドをブレンドして製膜した。得られた膜状体の巻き上がり曲率は小さく、強い巻き上がりが見られた。また、比較例２は実施例４と同等のエチレンビスステアロアミド組成となるが、巻き上がり曲率は実施例４に及ばなかった。比較例３は表面に微細な気泡らしき組織が見られ表面平滑性が劣る結果となったうえ、巻き上がり曲率も、同等のエチレンビスステアロアミド組成を有する実施例１〜２に及ばなかった。
【手続補正４】
【補正対象書類名】明細書
【補正対象項目名】００４８
【補正方法】変更
【補正の内容】
【００４８】
実施例５、比較例７
両事例とも膜厚１００μｍ程度となるよう製膜した。膜厚を変えても、マスターペレットを添加した実施例５は巻き上がりが抑制される結果となった。
【手続補正５】
【補正対象書類名】明細書
【補正対象項目名】００４９
【補正方法】変更
【補正の内容】
【００４９】
【表１】
2011126937.tif 000001
【手続補正６】
【補正対象書類名】特許請求の範囲
【補正対象項目名】全文
【補正方法】変更
【補正の内容】
【特許請求の範囲】
【請求項１】
下記成分（Ａ）および（Ｂ）を配合してなるポリアミド樹脂組成物を製膜してなる、膜厚が５〜３００μｍのポリアミド樹脂膜状体。
（Ａ）硫酸相対粘度が３．０〜５．０であるポリアミド樹脂Ａ  １００重量部
（Ｂ）以下の（イ）（ロ）を配合してなるマスターペレット  ０．３〜３重量部
（イ）硫酸相対粘度が２．０以上かつポリアミド樹脂Ａの硫酸相対粘度より小さい値であるポリアミド樹脂Ｂ  １００重量部
（ロ）下記一般式で表されるビスアミド化合物  ４〜１５重量部
Ｒ１−ＣＯＮＨ（ＣＨ２）２ＮＨＣＯ−Ｒ２
（ただし、Ｒ１、Ｒ２は炭素数１２〜３２の炭化水素基を表し、Ｒ１とＲ２は同一であっても異なっていても良い。）
【請求項２】
ポリアミド樹脂Ｂの硫酸相対粘度が２．０以上かつポリアミド樹脂Ａの硫酸相対粘度より０．５以上小さい値である請求項１記載のポリアミド樹脂膜状体。
【請求項３】
下記成分（Ａ）および（Ｂ）をドライブレンドしたポリアミド樹脂組成物を、膜状体に製膜する請求項１または２記載のポリアミド樹脂膜状体の製造方法。
（Ａ）硫酸相対粘度が３．０〜５．０であるポリアミド樹脂Ａ  １００重量部
（Ｂ）以下の（イ）および（ロ）を配合してなるマスターペレット  ０．３〜４重量部
（イ）硫酸相対粘度が２．０以上かつポリアミド樹脂Ａの硫酸相対粘度より小さい値であるポリアミド樹脂Ｂ  １００重量部
（ロ）下記一般式で表されるビスアミド化合物  ４〜１５重量部
Ｒ１−ＣＯＮＨ（ＣＨ２）２ＮＨＣＯ−Ｒ２
（ただし、Ｒ１、Ｒ２は炭素数１２〜３２の炭化水素基を表し、Ｒ１とＲ２は同一であっても異なっていても良い。）
【請求項４】
製膜方法が、水冷インフレーション製膜法である請求項３記載のポリアミド樹脂膜状体の製造方法。
【手続補正書】
【提出日】平成23年11月14日(2011.11.14)
【手続補正１】
【補正対象書類名】特許請求の範囲
【補正対象項目名】全文
【補正方法】変更
【補正の内容】
【特許請求の範囲】
【請求項１】
発作性夜間血色素尿症（ＰＮＨ）に罹患した患者を、該患者において血清の補体活性ブレークスルーを防止することによって処置する際に使用するための組成物であって、該組成物は、抗Ｃ５抗体を含み、該組成物は、正常血清補体活性の２０％未満のレベルの血清補体活性を維持するように該患者に投与されることを特徴とし、ここで、該患者の血清補体活性は、インビトロ溶血アッセイを用いて試験され、該血清補体活性が正常血清補体活性の２０％未満のレベルに維持されるかが決定される、組成物。
【請求項２】
前記抗Ｃ５抗体はエクリズマブであり、該エクリズマブは９００ｍｇの用量で１２日毎に少なくとも１回投与される、請求項１に記載の組成物。
【請求項３】
請求項２に記載の組成物であって、前記エクリズマブは、前記患者に以下の投与スケジュール：
（ｉ）４週間にわたって各週に６００ｍｇ；
（ｉｉ）５週目に９００ｍｇ；そしてその後、
（ｉｉｉ）１２日毎に少なくとも１回９００ｍｇ、
で投与されることを特徴とする、組成物。
【請求項４】
前記患者が、
（ａ）該患者の総赤血球数のうちのＩＩＩ型赤血球の割合が１０％より高い；
（ｂ）該患者の総赤血球数のうちのＩＩＩ型赤血球の割合が２５％より高い；
（ｃ）該患者の総赤血球数のうちのＩＩＩ型赤血球の割合が５０％より高い；
（ｄ）該患者の血小板数が１マイクロリットルあたり４０，０００個より多い；
（ｅ）該患者の血小板数が１マイクロリットルあたり７５，０００個より多い；
（ｆ）該患者の血小板数が１マイクロリットルあたり１５０，０００個より多い；
（ｇ）該患者の網状赤血球数が１リットルあたり８０×１０９個より多い；
（ｈ）該患者の網状赤血球数が１リットルあたり１２０×１０９個より多い；
（ｉ）該患者の網状赤血球数が１リットルあたり１５０×１０９個より多い；
（ｊ）該患者が４０％より高いＩＩＩ型顆粒球クローンを有する；および
（ｋ）該患者がヒトにおける正常ＬＤＨレベルの上限の１．５倍以上のＬＤＨレベルを有する、
からなる群より選択される１つ以上の特徴によって特徴付けられる、請求項１〜３のいずれか１項に記載の組成物。
【請求項５】
前記組成物が、造血を増大させる１種以上の化合物と組合せて投与されることを特徴とする、請求項１〜４のいずれか１項に記載の組成物。
【請求項６】
前記造血を増大させる１種以上の化合物が、ステロイド、免疫抑制薬、抗凝固薬、葉酸、鉄、エリスロポエチン、抗胸腺細胞グロブリン、および抗リンパ球グロブリンからなる群より選択される、請求項５に記載の組成物。
【手続補正書】
【提出日】平成24年10月12日(2012.10.12)
【手続補正１】
【補正対象書類名】特許請求の範囲
【補正対象項目名】請求項１
【補正方法】変更
【補正の内容】
【請求項１】
帯状シートを巻取る巻取装置の巻取運転を開始する前に、帯状シートの始端を巻芯に係止するための接着剤を、タッチローラ上に保持された帯状シートの始端部表面の接着剤付与領域に付与する接着剤付与装置において、接着剤を帯状シート表面に塗るための糊付頭及び該糊付頭に補給する接着剤を有する糊付器と、前記糊付器を前記タッチローラに平行に移動させる移送機構と、前記糊付頭を前記タッチローラ上に保持された帯状シートの表面に接触する進出位置と前記帯状シートの表面から後退した後退位置とに進出後退させる進退機構と、前記移送機構により移動中の前記糊付頭が前記接着剤付与領域に対向する位置にあるとき、前記糊付頭が進出と後退とを交互に所定の周期で繰り返すように前記進退機構を作動させる制御装置とを備えることを特徴とする接着剤付与装置。
【手続補正書】
【提出日】平成24年1月23日(2012.1.23)
【手続補正１】
【補正対象書類名】明細書
【補正対象項目名】００１９
【補正方法】変更
【補正の内容】
【００１９】
図３は、図２に示す点検蓋の周囲（Ｂ部）を客室側から見た平面図である。点検蓋１００は蝶番１３０，１３０を介して台枠３０（床）に回動可能に支持されており、点検蓋１００は蝶番１３０を支点として、客室側に開くことができるように構成されている。さらに、点検蓋１００には、取手１１０と錠１２０が備えられる。取手１１０は点検蓋１００を開閉する際にのみ立設できる構造であり、点検蓋１００を開閉しない時は、点検蓋１００の上面に客室側に突出しない様態で格納される。
【手続補正２】
【補正対象書類名】明細書
【補正対象項目名】００２０
【補正方法】変更
【補正の内容】
【００２０】
図４は、図３に示す点検蓋のＤ−Ｄ断面図である。点検蓋１００は、客室側の面（上面）に配置される枠１４０と、機器室側の面（下面）に配置される耐火塗装板１６０とを支え部材１４５で連結して構成されており、その内部に形成される中空部には断熱材１５０が装填されている。耐火塗装板１６０は、火災によって生じる熱が床下機器室Ｃから車内へ流入することを妨げるために備えられるもので、融点が高く耐熱性に優れるステンレス製平板（厚さ５ｍｍ前後）であり、その両面に厚さ２ｍｍ程度に耐熱塗料が塗布されている。耐火塗装板１６０が点検蓋１００の床下機器室Ｃ側に備えられているので、床下機器室Ｃ内で生じた火炎に点検蓋１００が曝されたとしても、点検蓋１００が容易に焼け落ちることはない。
【手続補正３】
【補正対象書類名】明細書
【補正対象項目名】００２３
【補正方法】変更
【補正の内容】
【００２３】
図５は、図３に示す点検蓋のＥ−Ｅ断面図である。図５に示される点検蓋１００は台枠３０に備えられる点検蓋受４０に載置され、閉鎖された状態を示す。閉鎖された状態の点検蓋１００において、点検蓋１００を構成する耐火塗装板１６０の周縁部と台枠３０の点検蓋受４０との間に、耐火塗装板１６０の周縁部に備えられた加熱膨張材１９０が位置する。加熱膨張材１９０の内周側は、吸音材１７０を保護する保護板１８０の下面と点検蓋受４０との間に置かれている。
【手続補正４】
【補正対象書類名】明細書
【補正対象項目名】００２９
【補正方法】変更
【補正の内容】
【００２９】
また、上記の実施例においては、加熱膨張材１９０は、点検蓋１００に備わるとして説明したが、それに限らず、点検蓋１００の周縁部が閉じ状態で対向することになる台枠３０の開口部側、或いは可能であれば双方の側に備えてもよいことは明らかである。
【手続補正書】
【提出日】平成24年10月17日(2012.10.17)
【手続補正１】
【補正対象書類名】明細書
【補正対象項目名】０００７
【補正方法】変更
【補正の内容】
【０００７】
［適用例１］本適用例に係るテープ印刷装置は、画像をテープに印刷するテープ印刷装置であって、入力操作を受け付ける操作受付部と、前記操作受付部が受け付けた入力操作に基づいて画面表示を行う表示部と、前記表示部を照明する照明部と、前記テープ印刷装置の動作を制御する制御部と、入力された文字列に基づいた前記画像を前記テープに印刷する印刷部と、を備え、前記制御部は、前記入力操作に基づいて前記印刷部が前記画像を印刷している間、前記照明部の照明を消灯させる第１省電力モードに切り替えることを特徴とする。
【手続補正２】
【補正対象書類名】明細書
【補正対象項目名】０００８
【補正方法】変更
【補正の内容】
【０００８】
このようなテープ印刷装置によれば、操作受付部は入力操作を受け付ける。表示部は、入力操作に基づいて画面表示を行う。照明部は、表示部を照明する。印刷部は、入力された文字列に基づいた前記画像を前記テープに印刷する。そして、制御部は、入力操作に基づいて印刷部が画像を印刷している間、照明部の照明を消灯させる第１省電力モードに切り替える。これにより、ユーザーによる入力操作を受け付ける必要がない印刷中は、照明部の照明が消灯されるため、消費電力を低減することができる。
【手続補正３】
【補正対象書類名】明細書
【補正対象項目名】０００９
【補正方法】変更
【補正の内容】
【０００９】
［適用例２］上記適用例に係るテープ印刷装置において、前記テープ印刷装置の電源のオンとオフとを切り替える電源回路をさらに備え、前記操作受付部が、第１の時間入力操作を受け付けなかった場合には、前記照明部の照明を消灯させる前記第１省電力モードに切り替え、前記操作受付部が、前記第１の時間よりも長い第２の時間、入力操作を受け付けなかった場合には、前記電源回路の電源をオフさせる第２省電力モードに切り替えることを特徴とする。
【手続補正４】
【補正対象書類名】明細書
【補正対象項目名】００１０
【補正方法】変更
【補正の内容】
【００１０】
このようなテープ印刷装置によれば、テープ印刷装置の電源のオンとオフとを切り替える電源回路をさらに備える。そして、制御部は、第１の時間、入力操作を受け付けなかった場合には、照明部の照明を消灯させる第１省電力モードに切り替える。また、制御部は、第１の時間よりも長い第２の時間、入力操作を受け付けなかった場合には、電源回路の電源をオフさせる第２省電力モードに切り替える。これにより、第１の時間、入力操作を受け付けなかった場合には、照明部の照明は消灯されるので、消費電力を低減することができる。また、第１の時間よりも長い第２の時間、入力操作を受け付けなかった場合には、テープ印刷装置の電源がオフされるので、消費電力をさらに低減することができる。
【手続補正５】
【補正対象書類名】明細書
【補正対象項目名】００１１
【補正方法】変更
【補正の内容】
【００１１】
［適用例３］上記適用例に係るテープ印刷装置において、前記制御部は、前記第１の時間よりも長く、かつ前記第２の時間よりも短い第３の時間、前記操作受付部が入力操作を受け付けなかった場合に、前記表示部の画面表示を停止させる第３省電力モードに切り替えることを特徴とする。
【手続補正６】
【補正対象書類名】明細書
【補正対象項目名】００１２
【補正方法】変更
【補正の内容】
【００１２】
このようなテープ印刷装置によれば、制御部は、第３の時間、入力操作を受け付けなかった場合に、表示部の画面表示を停止させる第３省電力モードに切り替える。これにより、第２省電力モードのようにテープ印刷装置の電源をオフすることなく、第１省電力モードよりも低い消費電力にすることができる。
【手続補正７】
【補正対象書類名】明細書
【補正対象項目名】００１５
【補正方法】変更
【補正の内容】
【００１５】
［適用例５］本適用例に係るテープ印刷装置の制御方法は、入力操作に基づいて画面表示を行う表示部と、前記表示部を照明する照明部と、入力された文字列に基づいた画像をテープに印刷する印刷部とを有し、画像をテープに印刷するテープ印刷装置の制御方法であって、入力操作を受け付けるステップと、前記入力操作に基づいて前記印刷部が前記画像を印刷している間、前記照明部の照明を消灯させる第１省電力モードに切り替えるステップと、を備えることを特徴とする。
【手続補正８】
【補正対象書類名】明細書
【補正対象項目名】００１６
【補正方法】変更
【補正の内容】
【００１６】
このようなテープ印刷装置の制御方法によれば、印刷部が印刷を行っている間、照明部の照明を消灯させる第１省電力モードに切り替える。これにより、ユーザーによる入力操作を受け付ける必要がない印刷中は、照明部の照明が消灯されるため、消費電力を低減することができる。
【手続補正９】
【補正対象書類名】特許請求の範囲
【補正対象項目名】全文
【補正方法】変更
【補正の内容】
【特許請求の範囲】
【請求項１】
画像をテープに印刷するテープ印刷装置であって、
入力操作を受け付ける操作受付部と、
前記操作受付部が受け付けた入力操作に基づいて画面表示を行う表示部と、
前記表示部を照明する照明部と、
前記テープ印刷装置の動作を制御する制御部と、
入力された文字列に基づいた前記画像を前記テープに印刷する印刷部と、
を備え、
前記制御部は、前記入力操作に基づいて前記印刷部が前記画像を印刷している間、前記照明部の照明を消灯させる第１省電力モードに切り替えることを特徴とするテープ印刷装置。
【請求項２】
請求項１に記載のテープ印刷装置であって、
前記テープ印刷装置の電源のオンとオフとを切り替える電源回路をさらに備え、
前記操作受付部が、第１の時間入力操作を受け付けなかった場合には、前記照明部の照明を消灯させる前記第１省電力モードに切り替え、前記操作受付部が、前記第１の時間よりも長い第２の時間、入力操作を受け付けなかった場合には、前記電源回路の電源をオフさせる第２省電力モードに切り替えることを特徴とするテープ印刷装置。
【請求項３】
請求項２に記載のテープ印刷装置であって、
前記制御部は、前記第１の時間よりも長く、かつ前記第２の時間よりも短い第３の時間、前記操作受付部が入力操作を受け付けなかった場合に、前記表示部の画面表示を停止させる第３省電力モードに切り替えることを特徴とするテープ印刷装置。
【請求項４】
請求項１乃至３のいずれか一項に記載のテープ印刷装置であって、
前記操作受付部が受け付けた所定の入力操作に応じて、前記第１の時間、前記第２の時間、および前記第３の時間のうち、少なくとも１つを変更する時間変更部をさらに有することを特徴とするテープ印刷装置。
【請求項５】
入力操作に基づいて画面表示を行う表示部と、前記表示部を照明する照明部と、入力された文字列に基づいた画像をテープに印刷する印刷部と、を有するテープ印刷装置の制御方法であって、
入力操作を受け付けるステップと
前記入力操作に基づいて前記印刷部が前記画像を印刷している間、前記照明部の照明を消灯させる第１省電力モードに切り替えるステップと
を備えることを特徴とするテープ印刷装置の制御方法。
【請求項６】
コンピューターに、請求項５に記載のテープ印刷装置の制御方法における各ステップを実行させるためのプログラム。
【手続補正書】
【提出日】平成24年2月20日(2012.2.20)
【手続補正１】
【補正対象書類名】特許請求の範囲
【補正対象項目名】全文
【補正方法】変更
【補正の内容】
【特許請求の範囲】
【請求項１】
干渉RNA；
カチオン性脂質；
非カチオン性脂質；および
粒子の凝集を阻害する複合脂質
を含む、核酸-脂質粒子。
【請求項２】
本明細書に記載の発明。
【手続補正書】
【提出日】平成23年2月21日(2011.2.21)
【手続補正１】
【補正対象書類名】特許請求の範囲
【補正対象項目名】全文
【補正方法】変更
【補正の内容】
【特許請求の範囲】
【請求項１】
有機溶媒中におけるアジスロマイシンの溶液から有機溶媒を取り除くことを含む、安定な一水和物の形態におけるアジスロマイシンの製造方法。
【請求項２】
アジスロマイシンをアルコールに溶解すること、及び、このアルコール溶液から安定な一水和物の形態におけるアジスロマイシンを結晶化させることを含む、安定な一水和物の形態におけるアジスロマイシンの製造方法。
【請求項３】
二水和物の形態におけるアジスロマイシンをエタノール、イソプロパノール、または酢酸メチルに溶解すること、有機溶媒、及び望ましい場合には、過剰な水分を蒸留により除去すること、及び安定な一水和物の形態におけるアジスロマイシンを単離することを含む、安定な一水和物の形態におけるアジスロマイシンの製造方法。
【請求項４】
二水和物の形態におけるアジスロマイシンをアセトンに溶解すること、水混和性の有機溶媒を蒸留により取り除くこと、及び安定な一水和物の形態におけるアジスロマイシンを単離することを含む、安定な一水和物の形態におけるアジスロマイシンの製造方法。
【請求項５】
一水和物の形態におけるアジスロマイシンと、酢酸メチル、アセトンまたはイソプロパノールとを含む組成物。
【請求項６】
（ｉ）塩の形態におけるアジスロマイシンの溶液のｐＨを調整する工程、及び
（ｉｉ）一水和物の形態における化学式Ｉのアジスロマイシンを単離する工程、
を含み、工程（ｉ）におけるアジスロマイシンの溶液が水溶液であり、溶媒が水、または水と有機溶媒の混合物から選択されることを特徴とする、一水和物の形態におけるアジスロマイシンの製造方法。
【請求項７】
一水和物の形態におけるアジスロマイシンと０．５％ｗ／ｗまでの分析により検出可能な量の有機溶媒を含む組成物。
【請求項８】
実質的に有機溶媒を含まない、一水和物の形態におけるアジスロマイシン。
【請求項９】
少なくとも１つの薬剤学的担体または薬剤学的希釈剤との組み合わせにおいて、
・安定な一水和物の形態におけるアジスロマイシン、または
・一水和物の形態におけるアジスロマイシンと０．５％ｗ／ｗまでの分析により検出可能な量の有機溶媒からなる組成物、または
・実質的に有機溶媒を含まない一水和物の形態におけるアジスロマイシン、
を含む医薬組成物。
【請求項１０】
結晶の、請求項５、７、８、及び９のいずれか一項に記載の一水和物の形態におけるアジスロマイシンまたは請求項１、２、３、４、または６のいずれか一項に記載の方法により得られるアジスロマイシン。
【請求項１１】
安定な一水和物の、請求項５、７、または８のいずれか一項に記載の一水和物の形態におけるアジスロマイシンまたは請求項６に記載の方法により得られるアジスロマイシン。
【手続補正書】
【提出日】平成23年1月14日(2011.1.14)
【手続補正１】
【補正対象書類名】特許請求の範囲
【補正対象項目名】全文
【補正方法】変更
【補正の内容】
【特許請求の範囲】
【請求項１】
（Ａ）遊離型又は生理学的に許容される塩の形の、アベルメクチン、ミルベマイシン及びそれらの誘導体からなる群から選択される、寄生虫駆除有効量の大環状ラクトン、
（Ｂ）肉香味料、
（Ｃ）部分アルファ化デンプン、
（Ｄ）軟化剤、
（Ｅ）０〜９％（Ｗ／Ｗ）の水、及び、
１又はそれ以上の任意の成分を含む、延性がある、咀嚼可能な非ヒト温血動物用の医薬組成物。
【請求項２】
（ｉ）（Ａ）遊離型又は生理学的に許容される塩の形の、アベルメクチン、ミルベマイシン及びそれらの誘導体からなる群から選択される、寄生虫駆除有効量の大環状ラクトン、
（Ｂ）肉香味料、
（Ｃ）部分アルファ化デンプン、
（Ｄ）軟化剤、
（Ｅ）０〜９％（Ｗ／Ｗ）の水、及び、
１又はそれ以上の任意の成分を押出機のホッパーに供給し、
（ｉｉ）前記押出機の先端を出る押出物の温度が、全押し出しプロセス中に４０℃を超えないように、定常的に押出機を室温未満に冷却し、
（ｉｉｉ）咀嚼可能な製品の形状を決定するダイによって押出物を圧縮成形し、
（ｉｖ）前記押出機を出た押出物を均等な断片に切断することを含む、
医薬組成物の製造方法により製造された、請求項１に記載の医薬組成物。
【請求項３】
前記（ｉｉ）における押出機の冷却が、押出機を５〜１０℃に冷却するものである、請求項２に記載の医薬組成物。
【請求項４】
前記（Ａ）の寄生虫駆除有効量の大環状ラクトンがミルベマイシンオキシムである、請求項１〜３のいずれか１項に記載の医薬組成物。
【請求項５】
天然肉香味料を２０〜３０％（Ｗ／Ｗ）含む、請求項１〜４のいずれか１項に記載の医薬組成物。
【請求項６】
天然肉香味料が、２０〜５５％（Ｗ／Ｗ）の脂肪を含む、請求項５に記載の医薬組成物。
【請求項７】
部分アルファ化デンプンを２５〜７０％（Ｗ／Ｗ）含む、請求項１〜６項のいずれか１項に記載の医薬組成物。
【請求項８】
前記部分アルファ化デンプンが、１０〜２０％（Ｗ／Ｗ）のアルファ化デンプンを含む、請求項１〜７項のいずれか１項に記載の医薬組成物。
【請求項９】
前記軟化剤が、グリセリン、ポリエチレングリコール、及びポリプロピレングリコールからなる群から選択される、請求項１〜８のいずれか１項に記載の医薬組成物。
【請求項１０】
４〜６％(Ｗ／Ｗ）の水を含む、請求項１〜９のいずれか１項に記載の医薬組成物。
【請求項１１】
甘味料、酸化防止剤、嗜好性増強剤及び着色剤からなる群から選択される成分をさらに含む、請求項１〜１０のいずれか１項に記載の医薬組成物。
【請求項１２】
前記（Ａ）の寄生虫駆除有効量の大環状ラクトンに加えて、寄生虫駆除有効量のプラジカンテルを含む、請求項１〜１１のいずれか１項に記載の医薬組成物。
【請求項１３】
前記（Ａ）の寄生虫駆除有効量の大環状ラクトンに加えて、寄生虫駆除有効量のプラジカンテル及びルフェヌロンを含む、請求項１２に記載の医薬組成物。
【請求項１４】
直径８ｍｍの球を用いて、Ｔｅｘｔｕｒｅ Ａｎａｌｙｚｅｒ（ＴＡ−ＸＴ２；Ｓｔａｂｌｅ Ｍｉｃｒｏ Ｓｙｓｔｅｍｓ社製）で測定したときの医薬組成物のテクスチャー（柔らかさ／硬さ）が、８〜２０Ｎである、請求項１〜１３のいずれか１項に記載の医薬組成物。
【請求項１５】
（ｉ）（Ａ）遊離型又は生理学的に許容される塩の形の、アベルメクチン、ミルベマイシン及びそれらの誘導体からなる群から選択される、寄生虫駆除有効量大環状ラクトン、
（Ｂ）肉香味料、
（Ｃ）部分アルファ化デンプン、
（Ｄ）軟化剤、
（Ｅ）０〜９％（Ｗ／Ｗ）の水、及び、
１又はそれ以上の任意の成分を押出機のホッパーに供給し、
（ｉｉ）前記押出機の先端を出る押出物の温度が全押し出しプロセス中に４０℃を超えないように、定常的に押出機を室温未満に冷却し、
（ｉｉｉ）咀嚼可能な製品の形状を決定するダイによって押出物を圧縮成形し、
（ｉｖ）前記押出機を出た押出物を均等な断片に切断することを含む、
延性がある、咀嚼可能な非ヒト温血動物用の医薬組成物の製造方法。
【請求項１６】
押出機のホッパーに、
遊離型又は生理学的に許容される塩の形の、アベルメクチン、ミルベマイシン及びそれらの誘導体からなる群から選択される、寄生虫駆除有効量の大環状ラクトンと、部分アルファ化デンプンとの均質混合物からなる予混合物（１）と、
肉香味料、軟化剤及び任意の成分の均質混合物からなる予混合物（２）とを、
同時に連続して供給するものである、請求項１５に記載の製造方法。
【請求項１７】
請求項１〜１４のいずれか１項に記載の、延性がある咀嚼可能な医薬組成物を、非ヒト温血動物に与えることを含む、非ヒト動物に対する有害動物若しくは病原体を制御、または非ヒト動物の疾患を治療若しくは予防する方法。
【手続補正書】
【提出日】平成24年7月31日(2012.7.31)
【手続補正１】
【補正対象書類名】特許請求の範囲
【補正対象項目名】全文
【補正方法】変更
【補正の内容】
【特許請求の範囲】
【請求項１】
フレーム（２２）と、
前記フレーム（２２）に、第１の水平軸を規定する第１の軸の周りに回転可能に装着され、支持面に回転進行可能に係合するように構成された車輪（１２，１４）と、
引っ込み位置への及び引っ込み位置からの移動可能で、前記支持面に沿って、垂直に配置された障害物の上に車輪を持ち上げられるように構成されたリフト装置（１６）であって、前記リフト装置（１６）は、前記第１の軸から離れたＣ字形の細長い部材により規定され、前記リフト装置が前記引っ込み位置にあるときに前記車軸の周囲にほぼ全体が横たわる湾曲した中間体によって互いに連結された互いに対向する第１および第２の終端部を備え、前記第１の終端部は、前記第１の軸から離れた第２の軸の周りに旋回可能で個別に前記フレームに装着されて第２の水平軸を規定し、前記第２の軸は前記車輪の周囲の外側に位置し、前記第２の終端部は、前記障害物と協業して前記車輪を持ち上げる、前記中間体に対して回転不能な先端部と、接触面とを規定する、リフト装置（１６）と、
前記フレームの下部と、前記第１および第２の終端部の間にある湾曲した前記中間体の中間点との間に個別に位置するバネ部材と
を有し、
前記リフト装置（１６）の前記接触面（９０）と前記先端部は前記障害物に最初に接触するようになっており、そして前記リフト装置（１６）は、前記車輪（１２，１４）が前記障害物の上に持ち上げられて平行移動するように、前記第１の終端部（２６）を中心にして旋回するように構成されており、
前記バネ部材が、前記車輪（１２，１４）が妨害されずに動作することができる完全引っ込み位置に前記リフト装置（１６）をバイアスするように構成されているコイル・バネを備えること
を特徴とする車輪システム（１０）。
【請求項２】
前記フレーム（２２）は、旋回柱（２０）を受け入れるようになっているフレーム開口（５６）を画成している、請求項１に記載の車輪システム（１０）。
【請求項３】
更に、前記旋回柱（２０）に堅固に装着された装着用板（１８）を有している請求項１に記載の車輪システム（１０）。
【請求項４】
前記車輪（１２，１４）は一対の車輪（１２，１４）を有しており、その場合、前記リフト装置（１６）は軸方向に見て前記一対の車輪（１２，１４）の間に少なくとも部分的に配置されている、請求項１に記載の車輪システム（１０）。
【請求項５】
前記フレーム（２２）は、前記バネ（２４）の第１の端部（７０）を受けるようになっているバネ用柱（６２）を有し、また前記リフト装置（１６）は、前記バネ（２４）の第２の端部（７２）を受けるようになっているバネ用タブ（４０）を有している、請求項１に記載の車輪システム（１０）。
【請求項６】
前記リフト装置（１６）の前記接触面（９０）は放射状の輪郭を持っている、請求項１に記載の車輪システム。
【請求項７】
フレーム（２２）と、
前記フレーム（２２）に、第１の水平軸を規定する第１の軸の周りに回転可能に装着され、支持面に回転進行可能に係合するように構成された一対の車輪（１２，１４）と、
前記一対の車輪（１２，１４）の間に少なくとも部分的に配置されたリフト装置（１６）であって、前記リフト装置（１６）は、引っ込み位置への及び引っ込み位置からの移動可能で、前記支持面に沿って、垂直に配置された障害物の上に車輪を持ち上げられるように構成され、前記リフト装置（１６）は、前記第１の軸から離れたＣ字形の細長い部材により規定され、前記リフト装置が前記引っ込み位置にあるときに前記車軸のそれぞれの周囲にほぼ全体が横たわる湾曲した中間体によって互いに連結された互いに対向する第１および第２の終端部を備え、前記第１の終端部は、前記第１の軸から離れた第２の軸の周りに旋回可能で個別に前記フレームに装着されて第２の水平軸を規定し、前記第２の軸はそれぞれの前記車輪の周囲の外側に位置し、前記第２の終端部は、前記障害物と協業して前記車輪を持ち上げる、前記中間体に対して回転不能な先端部と、接触面とを規定する、リフト装置（１６）と、
前記フレームの下部と、前記第１および第２の終端部の間にある湾曲した前記中間体の中間点との間に個別に位置するバネ部材と
を有し、
前記リフト装置（１６）の前記接触面（９０）と前記先端部は前記障害物に最初に接触するようになっており、そして前記リフト装置（１６）は、前記車輪（１２，１４）が前記障害物の上に持ち上げられて平行移動するように、前記第１の終端部（２６）を中心にして旋回するように構成されており、
前記バネ部材が、前記車輪（１２，１４）が妨害されずに動作することができる完全引っ込み位置に前記リフト装置（１６）をバイアスするように構成されているコイル・バネを備えること
を特徴とする車輪システム（１０）。
【請求項８】
前記フレーム（２２）は、旋回柱（２０）を受け入れるようになっているフレーム開口（５６）を画成している、請求項７に記載の車輪システム（１０）。
【請求項９】
更に、前記旋回柱（２０）に堅固に装着された装着用板（１８）を有する請求項７に記載の車輪システム（１０）。
【請求項１０】
前記フレーム（２２）は、前記バネ（２４）の第１の端部（７０）を受けるようになっているバネ用柱（６２）を有し、また前記リフト装置（１６）は、前記バネ（２４）の第２の端部（７２）を受けるようになっているバネ用タブ（４０）を有している、請求項１に記載の車輪システム（１０）。
【請求項１１】
前記リフト装置（１６）の前記接触面（９０）は放射状の輪郭を持っている、請求項１に記載の車輪システム。
【手続補正書】
【提出日】平成24年6月1日(2012.6.1)
【手続補正１】
【補正対象書類名】特許請求の範囲
【補正対象項目名】全文
【補正方法】変更
【補正の内容】
【特許請求の範囲】
【請求項１】
医学的画像情報を記憶し、かつ、複数の伝送モードで伝送するサーバであって、伝送モードの１つが生来のファイルフォーマットであり、残りの伝送モードのそれぞれが異なる圧縮方式を含む、サーバと、
前記サーバから前記医学的画像情報を伝送するのに適したネットワークと、
前記ネットワークに動作上結合されたビューイング・ワークステーションであって、前記サーバから前記ビューイング・ワークステーションへの医学的画像情報の転送における利用可能な帯域幅を推定することにより、前記サーバから前記ビューイング・ワークステーションへの医学的画像情報の転送を開始する帯域幅測定システムを含む、ビューイング・ワークステーションと
を備え、
前記ビューイング・ワークステーションが、前記帯域幅測定システムから前記利用可能な帯域幅の前記推定を受け取り、前記複数の伝送モードのなかから伝送モードを選択し、
前記複数の伝送モードは、伝送モードの階層構造を構成し、
前記複数の伝送モードのそれぞれが、帯域幅閾値と関連付けられ、
前記ビューイング・ワークステーションが、前記利用可能な帯域幅の前記推定を複数の帯域幅閾値と比較して、前記複数の伝送モードから伝送モードを選択し、
前記ビューイング・ワークステーションが、前記サーバから前記医学的画像情報の伝送と、前記サーバからの前記医学的画像情報の伝送のための、前記選択された伝送モードとを要求し、
前記選択された伝送モードが前記残りの伝送モードのうちの１つである場合には、前記サーバが要求された伝送モードの圧縮方式にしたがって前記医学的画像情報を圧縮して、前記ビューイング・ワークステーションに前記医学的画像情報を伝送する、
イメージング・システム。
【請求項２】
前記複数の伝送モードは、原画像ファイルの伝送、可逆圧縮された画像ファイル・データの伝送、関心領域画素データの伝送、ウェーブレット可逆圧縮画像ファイル・データの伝送、及び関心領域ウェーブレット可逆圧縮データの伝送を含んでいる、請求項１に記載のイメージング・システム。
【請求項３】
前記医学的画像情報の特性に対する前記ビューイング・ワークステーションの性能特性に応じて前記複数のモードの内の前記１つでの伝送を要求するように構成されている、請求項１に記載のイメージング・システム。
【請求項４】
通信ネットワークを介してビューイング・ワークステーションに通信可能に結合されているサーバを備える画像保管通信システム（ＰＡＣＳ）内の医学的画像情報を伝送する方法であって、
医学的画像情報を前記サーバに保存する段階と、
前記ビューイング・ワークステーションにより、前記サーバから前記ビューイング・ワークステーションへの医学的画像情報の転送を開始する段階と、
帯域幅測定システムにより、前記サーバと前記ビューイング・ワークステーションとの間の前記通信ネットワークの利用可能な帯域幅を決定する段階と、
前記ビューイング・ワークステーションにより、伝送モードの階層を構築する工程であって、階層の伝送モードのそれぞれが、帯域幅閾値と関連付けらている、工程と、
前記ビューイング・ワークステーションにより、複数の伝送モードのなかから伝送モードを選択する工程であって、伝送モードの１つが生来のファイルフォーマットであり、残りの伝送モードのそれぞれが異なる圧縮方式を含み、伝送モードの前記選択は、通信ネットワークの決定された前記帯域幅を複数の帯域幅閾値と比較する工程を含む、工程と、
前記ビューイング・ワークステーションから前記サーバに、前記サーバから前記ビューイング・ワークステーションへの特定の医学的画像情報の伝送を要求する段階と、
前記ビューイング・ワークステーションから前記サーバに、前記サーバから前記ビューイング・ワークステーションへの特定の医学的画像情報の伝送のための選択された伝送モードを要求する段階と、
前記サーバにより前記医学的画像情報を前記選択された伝送モードにしたがって処理する段階と、
前記医学的画像情報を前記選択された伝送モードで前記通信ネットワークを介して前記サーバから前記ビューイング・ワークステーションに伝送する段階と
を含む、方法。
【請求項５】
前記階層の伝送モードのそれぞれが帯域幅閾値と関連付けられ、
前記ビューイング・ワークステーションが、前記階層から、前記通信ネットワークの決定された前記帯域幅により得ることができる最高の帯域幅閾値と関連する伝送モードを選択する
請求項４に記載の方法。
【請求項６】
伝送モードの前記階層が、前記帯域幅閾値による降順で、原画像ファイルの伝送、可逆圧縮された画像ファイル・データの伝送、関心領域画素データの伝送、ウェーブレット可逆圧縮画像ファイル・データの伝送、関心領域ウェーブレット圧縮データの伝送、不可逆圧縮画像データの伝送、関心領域圧縮データの伝送を含む、請求項５に記載の方法。
【手続補正書】
【提出日】平成24年10月3日(2012.10.3)
【手続補正１】
【補正対象書類名】明細書
【補正対象項目名】発明の名称
【補正方法】変更
【補正の内容】
【発明の名称】表示装置
【手続補正２】
【補正対象書類名】特許請求の範囲
【補正対象項目名】全文
【補正方法】変更
【補正の内容】
【特許請求の範囲】
【請求項１】
ゲート電極と、
前記ゲート電極上のゲート絶縁層と、
前記ゲート絶縁層上の第１の半導体層と、
前記第１の半導体層上の第２の半導体層と、
前記第２の半導体層上の第３の半導体層と、
前記第２の半導体層上の絶縁層と、を有し、
前記第２の半導体層は、前記絶縁層に接する領域と前記第３の半導体層に接する領域とを有し、
前記第２の半導体層は複数の凸部を有し、
前記絶縁層は前記複数の凸部に接する領域を有し、
前記第３の半導体層は前記複数の凸部に接する領域を有することを特徴とする表示装置。
【手続補正書】
【提出日】平成24年10月3日(2012.10.3)
【手続補正１】
【補正対象書類名】明細書
【補正対象項目名】発明の名称
【補正方法】変更
【補正の内容】
【発明の名称】表示装置
【手続補正２】
【補正対象書類名】特許請求の範囲
【補正対象項目名】全文
【補正方法】変更
【補正の内容】
【特許請求の範囲】
【請求項１】
第１のゲート電極と、
前記第１のゲート電極上の第１の絶縁層と、
前記第１の絶縁層上の第１の半導体層と、
前記第１の半導体層上の第２の半導体層と、
前記第２の半導体層上の第３の半導体層と、
前記第２の半導体層上の第２の絶縁層と、
前記第２の絶縁層上の第３の絶縁層と
前記第３の絶縁層上の第２のゲート電極と、を有し、
前記第２の半導体層は、前記第２の絶縁層に接する領域と前記第３の半導体層に接する領域とを有し、
前記第２の半導体層は複数の凸部を有し、
前記第２の絶縁層は前記複数の凸部に接する領域を有し、
前記第３の半導体層は前記複数の凸部に接する領域を有することを特徴とする表示装置。